(57)【要約】      （修正有）【課題】車両の電気装置、電子装置の保護用として装着されている、平型ヒューズの断線時の確認や交換が容易にできる平型ヒューズ・チェッカー装置及びそれを用いたアクセサリー装置を提供する。【解決手段】本体（１０）の底面の接触端子（１２ａ  １２ｂ）をヒューズ収納装置に装着された平型ヒューズの外部接触端子（２２ａ  ２２ｂ）に接触させ、本体上面の点検ランプ（１１）の点灯の有り無しで平型ヒューズの断線の確認をする。【選択図】図１
0003124516.tif 000002
【実用新案登録請求の範囲】
【請求項１】
ヒューズ収納装置に装着された、図２の平型ヒューズの外部接触端子に接触端子を接触させることで、平型ヒューズの断線の点検ができることを特徴とする平型ヒューズ・チェッカー装置。
【請求項２】
平型ヒューズの外部接触端子と接触端子を接触することで、点検ランプの点灯の有り無しで平型ヒューズの断線の確認ができることを特徴とする平型ヒューズ・チェッカー装置。
【請求項３】
ヒューズ収納装置の予備用平型ヒューズ収納装置に収納可能な構造を特徴とする請求項１から請求項２に記載の平型ヒューズ・チェッカー装置。
【請求項４】
請求項１から請求項２に記載の平型ヒューズ・チェッカー装置を用いたアクセサリー装置であって、ファッション性を高めキーホルダーやマスコット等としての携帯性を特徴とするアクセサリー装置。
【考案の詳細な説明】
【考案の詳細な説明】
【技術分野】
【０００１】本考案は、車両に装着された平型ヒューズの断線の確認を容易に点検できる平型ヒューズ・チェッカー装置に関するものである。
【背景技術】
【０００２】運行中の車両の電気装置、電子装置の保護のために装着されている平型ヒューズの断線時の交換は、運転席の警告装置やヒューズ収納装置に記載されている配線図で対象のヒューズを特定している。しかし装着されているヒューズは数が多く特定するのが困難であった。特に夜間の暗い環境下での交換や視力の低下した高齢者や女性には困難と言える。【０００３】
【特許文献１】特開２００４−７９５０１号公報
【０００４】この考案は、そのような車両に装着された平型ヒューズの交換の困難さを解消しようとするものであり、また常時携帯できる形状にしようとするものである。
【考案の開示】
【考案が解決しようとする課題】
【０００５】これには次のような欠点があった。
（イ）平型ヒューズはヒューズ収納装置に装着した状態では、ヒューズの断線を確認できない構造になっている。
（ロ）ヒューズ収納装置に記載されている配線図は、文字が小さく複雑で断線しているヒューズの特定が難しい。
（ハ）配線図で断線しているヒューズを特定しても平型ヒューズは形状が同一で識別するのが難しい。
本考案は、以上の欠点を解決するための対策である。
【課題を解決するための手段】
【０００６】図１に示すように本体（１０）の上面に点検ランプ（１１）、底面に図２の平型ヒューズの外部接触端子（２２ａ  ２２ｂ）と接触する接触端子（１２ａ  １２ｂ）、点検ランプ（１１）を点灯させる電池（１３）を本体に内蔵している。本考案は、以上の構成からなる平型ヒューズ・チェッカー装置である。
【考案の効果】
【０００７】この考案により車両運行時に何らかのトラブルで断線した平型ヒューズの交換を昼夜を問わず、誰にでも容易に短時間にできる。更には断線した平型ヒューズの特定に配線図を必要としないことから、夜間や視力の低下した高齢者や女性への交換作業が改善された。
【考案を実施するための最良の形態】
【０００８】図１のように本体（１０）の上面に点検ランプ（１１）を設け、それを点灯させる電池（１３）を本体に内蔵している。本体（１０）の底面に設けた図２の平型ヒューズ（２０）の外部接触端子（２２ａ  ２２ｂ）と同間隔の接触端子（１２ａ  １２ｂ）をヒューズ収納装置に装着された平型ヒューズの外部接触端子（２２ａ  ２２ｂ）に順次接触させ、点検ランプ（１１）の点灯の有り無しで軟鉄ヒューズ（２１）の断線の確認をする。断線した平型ヒューズの特定と交換が完了したら、ヒューズ収納装置の予備用平型ヒューズ収納装置に収納する。また図３に示すように本体（１０）の形状を変えることにより、ファッション性も高められキーホルダーとして常時携帯もできる。
【図面の簡単な説明】
【０００９】
【図１】本考案の概略図
【符号の説明】
１０  本体
１１  点検ライト
１２ａ  １２ｂ  接触端子
１３  電池
【図２】
一般的な平型ヒューズの概略図
【符号の説明】
２０  本体
２１  軟鉄ヒューズ
２２ａ  ２２ｂ  外部接触端子
【図３】
本考案のアクセサリー装置の実施形態の斜視説明図
【符号の説明】
３０  アクセサリー部
３１  点検ライト
３２ａ  ３２ｂ  接触端子
３３  電池
【図１】
0003124516.tif 000003
【図２】
0003124516.tif 000004
【図３】
0003124516.tif 000005
【手続補正書】
【提出日】平成17年11月22日(2005.11.22)
【手続補正１】
【補正対象書類名】実用新案登録請求の範囲
【補正対象項目名】全文
【補正方法】変更
【補正の内容】
【実用新案登録請求の範囲】
【請求項１】
自動車に装備されている電気装置、電子装置には、過電流による装置保護のために図２の平型ヒューズ（２０）が装着されている。前記平型ヒューズは、電源側と負荷側に各々接続される接続端子（２３ａ、２３ｂ）と前記接続端子の２３ａと２３ｂを相互接続し、過電流が流れると溶断して接続端子の２３ａと２３ｂを分離させる軟鉄ヒューズ（２１）と前記軟鉄ヒューズ（２１）の溶断の診断が出来るように設けられた外部接触端子（２２ａ  ２２ｂ）で構成されヒューズ収納ボックス内のヒューズフォルダーに装着されている。図１の本体（１０）の底面に設けた先端を前記外部接触端子（２２ａ  ２２ｂ）に接触しやすくするために突起状にした接触端子（１２ａ、１２ｂ）をヒューズ収納ボックス内のヒューズフォルダーに装着されている前記平型ヒューズの外部接触端子（２２ａ  ２２ｂ）に接触させることで平型ヒューズの診断や断線の確認ができることを特徴とする平型ヒューズ・チェッカー装置。
【請求項２】
前記の診断手段は、請求項１に記載の図１の本体（１０）の底面に設けられた先端を突起状にした接触端子（１２ａ、１２ｂ）を請求項１に記載の平型ヒューズの外部接触端子（２２ａ  ２２ｂ）に接触させ、本体（１０）の接触端子（１２ａ）−請求項１に記載の外部接触端子（２２ａ）−軟鉄ヒューズ（２１）−外部接触端子（２２ｂ）−本体（１０）の接触端子（１２ｂ）−電池（１３）−点検ランプ（１１）−本体（１０）の接触端子（１２ａ）間の電気回路を構成し、前記本体（１０）の上面に設けられた平型ヒューズの点検ランプ（１１）の点灯の有り無しで平型ヒューズの診断や断線の確認ができることを特徴とする平型ヒューズ・チェッカー装置。
【請求項３】
請求項１、２に記載の本体（１０）は、自動車に装備されたヒューズ収納ボックス内のヒューズフォルダーに収容可能な構造を特徴とする平型ヒューズ・チェッカー装置。
【請求項４】
請求項１、２に記載の平型ヒューズ・チェッカー装置を用いたアクセサリー装置であって、ファッション性を高めキーホルダーやマスコット等としての携帯性を特徴とするアクセサリー装置。
【手続補正２】
【補正対象書類名】明細書
【補正対象項目名】全文
【補正方法】変更
【補正の内容】
【考案の詳細な説明】
【考案の詳細な説明】
【技術分野】
【０００１】本考案は、自動車の電気装置、電子装置の過電流による装置保護のために装着された平型ヒューズの診断や断線の確認を容易にできる平型ヒューズ・チェッカー装置に関するものである。
【背景技術】
【０００２】自動車に装備されている電気装置、電子装置には、過電流による装置保護のために平型ヒューズがヒューズ収納ボックス内のヒューズフォルダーに装着されている。前記平型ヒューズの断線の確認や平形ヒューズの交換は、運転席の警告装置に表示されるヒューズ番号やヒューズ収納ボックスに記載されている配線図で対象のヒューズを特定している。しかしヒューズ収納ボックス内のヒューズフォルダーに装着されている平型ヒューズは数が多く、更にはヒューズ収納ボックス内のヒューズフォルダーに装着された状態では、断線の目視診断や確認が出来な構造になっていることから断線した平型ヒューズを特定するのは困難であった。また夜間の暗い環境下での平型ヒューズの断線の確認や交換作業は、測定機（診断用テスター）等を携帯していない場合や視力の低下した高齢者や女性には困難と言える。【０００３】
【特許文献１】特開２００４−７９５０１号公報
【０００４】この考案は、そのような自動車のヒューズ収納ボックス内のヒューズフォルダーに装着された平型ヒューズの診断や断線の確認また交換作業の困難さを解消しょうとするものであり、非常時のために常時携帯できる形状にしょうとするものである。
【考案の開示】
【考案が解決しようとする課題】
【０００５】これには次のような欠点があった。
（イ）平型ヒューズは、ヒューズ収納ボックス内のヒューズフォルダーに装着された状態では、図２の軟鉄ヒューズ（２１）の溶断を目視診断できない構造になっている。
（ロ）ヒューズ収納ボックスに記載されているヒューズ配線図は、文字が小さく複雑で断線している平型ヒューズの特定が難しい。
（ハ）警告装置やヒューズ配線図で断線しているヒューズを特定しても、ヒューズ収納ボックスに装着されている平型ヒューズは、形状が同一で装着数が多く断線している平型ヒューズの識別をするのは難しい。
本考案は、以上の欠点を解決するための対策である。
【課題を解決するための手段】
【０００６】図１に示すように本体（１０）の上面に平型ヒューズの診断用の点検ランプ（１１）、底面に図２の平型ヒューズの外部接触端子（２２ａ  ２２ｂ）に接触させる接触端子（１２ａ  １２ｂ）、点検ランプ（１１）を点灯させる電池（１３）を内蔵している。本考案は、以上の構成からなる平型ヒューズ・チェッカー装置である。
【考案の効果】
【０００７】この考案により車両運行時に何らかのトラブルで断線した平型ヒューズを昼夜を問わず、誰にでも容易に診断や確認また交換作業が可能になった。特に断線した平型ヒューズを特定するのにヒューズ配線図を必要としないことから、夜間や視力の低下した高齢者や女性への平型ヒューズの交換作業が改善された。
【考案を実施するための最良の形態】
【０００８】図１のように本体（１０）の上面に平型ヒューズ診断用の点検ランプ（１１）を設け、それを点灯させる電池（１３）を本体に内蔵している。本体（１０）の底面に設けた先端を突起状にした接触端子（１２ａ  １２ｂ）をヒューズ収納ボックス内のヒューズフォルダーに装着された図２の平型ヒューズの外部接触端子（２２ａ  ２２ｂ）に順次接触させ、前記点検ランプ（１１）の点灯の有り無しで図２の軟鉄ヒューズ（２１）の溶断の診断を行い断線している平型ヒューズの特定をする。特定ができたら予備の平型ヒューズと交換し、交換終了後は前記本体（１０）をヒューズ収納ボックス内のヒューズフォルダーに収納し常備する。また図３に示すように本体（１０）の形状を変えることにより、ファッション性も高められキーホルダーとして常時携帯もできる。
【図面の簡単な説明】
【０００９】
【図１】本考案の概略図
【図２】一般的な平型ヒューズの概略図
【図３】本考案のアクセサリー装置の形態図
【符号の説明】
１０            本体
１１            点検ライト
１２ａ  １２ｂ  接触端子
１３            電池
２０            本体
２１            軟鉄ヒューズ
２２ａ  ２２ｂ  外部接触端子
２３ａ  ２３ｂ  接続端子
３０            本体（アクセサリー部）
３１            点検ライト
３２ａ  ３２ｂ  触端子
３３            電池
【手続補正４】
【補正対象書類名】図面
【補正対象項目名】図２
【補正方法】変更
【補正の内容】
【図２】
0003124516.tif 000006
【手続補正書】
【提出日】平成18年3月22日(2006.3.22)
【手続補正１】
【補正対象書類名】実用新案登録請求の範囲
【補正対象項目名】全文
【補正方法】変更
【補正の内容】
【実用新案登録請求の範囲】
【請求項１】
自動車の電装装置、電子装置には、過電流による装置保護を目的に電源側と負荷側に各々接続される接続端子（２３ａ、２３ｂ）と前記接続端子（２３ａ、２３ｂ）を相互接続し、過電流が流れると溶断して接続端子（２３ａ、２３ｂ）を分離させる軟鉄ヒューズ（２１）と前記軟鉄ヒューズ（２１）の溶断の診断が出来るように設けられた外部接触端子（２２ａ、２２ｂ）で構成された図２の平型ヒューズ（２０）がヒューズ収納ボックス内のヒュ−ズフォルダーに装着されている。前記平型ヒューズ（２０）の軟鉄ヒューズ（２１）の溶断の診断手段として図１の本体（１０）の上面に点検ライト（１１）を設け前記点検ライトの点灯用の電池（１３）と本体（１０）の底面に設けた接触端子（１２ａ  、１２ｂ）の構成からなる平型ヒューズ・チェッカー装置であって、前記平型ヒューズ・チェッカー装置の接触端子（１２ａ、１２ｂ）を図２の平型ヒューズ（２０）の外部接触端子（２２ａ、２２ｂ）に接触させることで、図１の本体（１０）に設けた点検ライト（１１）の点灯の有無で平型ヒューズ（２０）の軟鉄ヒューズ（２１）の溶断の診断が出来ることを特徴とする平型ヒューズ・チェッカー装置。
【請求項２】
請求項１に記載の平型ヒューズ・チェッカー装置を用いたアクセサリー装置であって、ファッション性を高めキーホルダーやマスコット等としての携帯性を特徴とするアクセサリー装置。
【手続補正書】
【提出日】平成18年6月9日(2006.6.9)
【手続補正１】
【補正対象書類名】実用新案登録請求の範囲
【補正対象項目名】全文
【補正方法】変更
【補正の内容】
【実用新案登録請求の範囲】
【請求項１】
自動車の電装装置、電子装置には、過電流による装置保護を目的に電源側と負荷側に各々接続される接続端子（２３ａ、２３ｂ）と前記接続端子（２３ａ、２３ｂ）を相互接続し、過電流が流れると溶断して接続端子（２３ａ、２３ｂ）を分離させる軟鉄ヒューズ（２１）と前記軟鉄ヒューズ（２１）の溶断の診断ができる外部接触端子（２２ａ、２２ｂ）で構成された平型ヒューズ（２０）がヒューズ収納ボックス内に装着されていて前記平型ヒューズ（２０）の軟鉄ヒューズ（２１）の溶断の診断手段として本体（１０）の上面に点検ライト（１１）を底面に接触端子（１２ａ  、１２ｂ）を設け点検ライト（１１）の点灯用の電池（１３）を本体内部に収納した構成であって、前記接触端子（１２ａ、１２ｂ）を平型ヒューズ（２０）の外部接触端子（２２ａ、２２ｂ）に接触させることで、本体（１０）の上面に設けた点検ライト（１１）の点灯の有無で軟鉄ヒューズ（２１）の溶断の診断ができる形状を有する平型ヒューズ・チェッカー装置。